(57)【要約】【課題】装飾部を備えた装置本体を覆う開閉可能なカバーを有する演出役物装置であって、装置本体の大きさをそのままにして、装飾部上に配される装飾をより大きく形成して表示することができる演出役物装置を提供する。【解決手段】演出役物装置１０は、装置本体１１と、カバー１２とからなる。装置本体は、装飾１３ａが配された装飾部１３を有している。カバー１２は、装飾部１３の上半分を覆う上カバー１２ａと、装飾部１３の下半分を覆う下カバー１２ｂとからなり、開閉可能に構成されている。また、上カバーの下縁部には凹部１４ａと凸部１５ａが形成され、下カバーの上縁部にも凹部１６ａと凸部１７ａが形成されている。カバーが開いているとき、上カバーの下縁部と下カバーの上縁部との間に窓部１８ａが区画形成され、窓部から装飾１３ａが露出する。一方上カバーの下縁部と下カバーの上縁部とが当接してカバーが閉じているとき、窓部も閉じる。【選択図】図３
2011139740.tif 000002
【特許請求の範囲】
【請求項１】
文字、模様等からなる所定の装飾を配した装飾部を有する装置本体と、
前記装飾部を覆う開閉可能な一対のカバーとからなり、
該カバーを開いたとき、該カバーの互いに対向する縁部によって窓部が区画形成され、該窓部から前記装飾が露出するようにした演出役物装置であって、
前記窓部の形状を、前記装飾の全体が露出するように、該装飾の輪郭に合わせ、
前記カバーを閉じたとき、前記窓部が閉じるようにしたことを特徴とする演出役物装置。
【請求項２】
前記カバーを、上カバーと下カバーとから構成し、
前記カバーを閉じたとき、前記上カバーの下縁部と前記下カバーの上縁部とが当接するようにしたことを特徴とする請求項１に記載の演出役物装置。
【請求項３】
文字、模様等からなる所定の装飾を配した装飾部を有する装置本体と、
前記装飾部を覆う開閉可能な一対のカバーとからなり、
該カバーを開いたとき、該カバーの互いに対向する縁部によって窓部が区画形成され、該窓部から前記装飾が露出するようにした演出役物装置であって、
前記窓部の形状を、前記装飾の輪郭と略同形状に形成し、
前記カバーを閉じたとき、両カバーの少なくとも一部が重合して前記装飾を覆うようにしたことを特徴とする演出役物装置。
【発明の詳細な説明】
【技術分野】
【０００１】
本発明は、遊技機に配設される演出役物装置に関し、特に所定の条件下で動作する可動部を備えた演出役物装置に関する。
【背景技術】
【０００２】
遊技機は、遊技状態に合わせて所定の演出動作を実行する演出装置を有している。
演出装置には、所定の画像が表示される画像表示装置、所定のパターンで点滅するライト、所定のメッセージ或いは音楽が発せられるスピーカ、並びに所定のパターンで作動する可動部を備えた演出役物装置がある。
ここで、図１０及び図１１に示す演出役物装置Ａは、文字、模様等からなる所定の装飾を配した装飾部Ｂ１を有する装置本体Ｂと、該装飾部を覆う開閉可能な一対の矩形状の上カバーＣ及び下カバーＤとからなり、上カバーＣと下カバーＤを上下方向に開いたとき、該両上下カバーＣ，Ｄの互いに対向する縁部によって窓部Ｅが区画形成され、該窓部Ｅから装飾部Ｂ１が露出するようにしている。
そして、装飾部Ｂ１を点滅表示して、該装飾部Ｂ１に配した装飾を強調する演出動作が行われる。
【先行技術文献】
【特許文献】
【０００３】
【特許文献１】引用無し
【発明の概要】
【発明が解決しようとする課題】
【０００４】
上記の演出役物装置Ａは、カバーＣ，Ｄの停止位置を調整することによって、矩形状に形成される窓部Ｅの上下方向に沿った高さを任意に設定することができる。
しかしながら、遊技機の盤面上で演出役物装置を配置するスペースが限られているため、該カバーＣ，Ｄを十分に開ききることができない。そのため、該カバーＣ，Ｄが装飾に重ならないように、該装飾を装飾部Ｂ１上の表示領域に対して小さく形成している。
そして、装飾をより大きく形成しようとしても、盤面上で演出役物装置を配置するスペースが限られているため、装置本体Ｂを大きくすることは困難である。
【０００５】
したがって、本発明が解決しようとする課題は、装飾部を備えた装置本体を覆う開閉可能なカバーを有する演出役物装置であって、装置本体の大きさをそのままにして、装飾部上に配される装飾をより大きく形成して表示することができる演出役物装置を提供することを目的とする。
【課題を解決するための手段】
【０００６】
請求項１に記載の演出役物装置は、文字、模様等からなる所定の装飾を配した装飾部を有する装置本体と、
前記装飾部を覆う開閉可能な一対のカバーとからなり、
該カバーを開いたとき、該カバーの互いに対向する縁部によって窓部が区画形成され、該窓部から前記装飾が露出するようにした演出役物装置であって、
前記窓部の形状を、前記装飾の全体が露出するように、該装飾の輪郭に合わせ、
前記カバーを閉じたとき、前記窓部が閉じるようにしたことを特徴とする。
【０００７】
請求項２に記載の演出役物装置は、請求項１に記載の発明において、前記カバーを、上カバーと下カバーとから構成し、
前記カバーを閉じたとき、前記上カバーの下縁部と前記下カバーの上縁部とが当接するようにしたことを特徴とする。
【０００８】
請求項３に記載の演出役物装置は、文字、模様等からなる所定の装飾を配した装飾部を有する装置本体と、
前記装飾部を覆う開閉可能な一対のカバーとからなり、
該カバーを開いたとき、該カバーの互いに対向する縁部によって窓部が区画形成され、該窓部から前記装飾が露出するようにした演出役物装置であって、
前記窓部の形状を、前記装飾の輪郭と略同形状に形成し、
前記カバーを閉じたとき、両カバーの少なくとも一部が重合して前記装飾を覆うようにしたことを特徴とする。
【発明の効果】
【０００９】
本発明に係る演出役物装置によれば、装置本体の大きさをそのままにして、装飾をより大きく形成して表示することができる。
【図面の簡単な説明】
【００１０】
【図１】本実施例に係る演出役物装置が配された遊技機の概略構成を示す平面図である。
【図２】第１実施例に係る演出役物装置のカバーが閉じている場合を示す平面図である。
【図３】第１実施例に係る演出役物装置のカバーが開いている場合を示す平面図である。
【図４】第２実施例に係る演出役物装置のカバーが閉じている場合を示す平面図である。
【図５】第２実施例に係る演出役物装置のカバーが開いている場合を示す平面図である。
【図６】第３実施例に係る演出役物装置のカバーが閉じている場合を示す平面図である。
【図７】第３実施例に係る演出役物装置のカバーが開いている場合を示す平面図である。
【図８】第４実施例に係る演出役物装置のカバーが閉じている場合を示す平面図である。
【図９】第４実施例に係る演出役物装置のカバーが開いている場合を示す平面図である。
【図１０】従来の演出役物装置のカバーが閉じている場合を示す平面図である。
【図１１】従来の演出役物装置のカバーが開いている場合を示す平面図である。
【実施例１】
【００１１】
本願発明に係る演出役物装置の実施例を添付した図面にしたがって説明する。
図１は、本実施例に係る演出役物装置が配された遊技機の構成の概略を示した平面図である。
図２は、本実施例に係る演出役物装置のカバーが閉じている場合を示し、図３は、該カバーが開いている場合を示したものである。
【００１２】
演出役物装置１０は、図１に示すように、遊技機１の盤面に配されている。
当該遊技機は、遊技球が入球し、抽選が行われる第１始動口２、第２始動口３を有し、当該抽選が当選したとき所定の遊技球が払い出される大入賞口４を有している。
また、遊技に係る演出を行う演出役物として、画像表示器５、ライト６、スピーカ７及び可動部を備えた演出役物装置１０を有している。
【００１３】
図２及び図３に示すように、演出役物装置１０は、装置本体１１と、カバー１２とからなる。
装置本体１１は、文字、記号、グラフィックス等からなる装飾が配された装飾部１３を有している。装置本体１１は、ライト又はＬＥＤ等からなる照明装置が内蔵されている。
本実施例において、装置本体１１の装飾部１３には、Ｖ字状の装飾１３ａが配されている。そして、内蔵された照明装置が所定のパターンで点滅して、Ｖ字状の装飾１３ａ、又は装飾１３ａの背景１３ｂを光らせる演出動作が行われる。
【００１４】
カバー１２は、装飾部１３の上半分を覆う上カバー１２ａと、装飾部１３の下半分を覆う下カバー１２ｂとからなり、開閉可能に構成されている。
上カバー１２ａの下縁部には、上カバー凹部１４ａと上カバー凸部１５ａとが形成されている。
下カバー１２ｂの上縁部には、下カバー凹部１６ａと下カバー凸部１７ａとが形成されている。
カバー１２が閉じているときには、上カバー凹部１４ａと下カバー凸部１７ａとが係合し、下カバー凹部１６ａと上カバー凸部１５ａとが係合して、上カバー１２ａの下縁部と下カバー１２ｂの上縁部とが当接している。
一方、カバー１２が開いているときには、上カバー１２ａの下縁部と下カバー１２ｂの上縁部との間には、窓部１８ａが区画形成され、該窓部１８ａから装飾部１３の装飾１３ａが露出する。
また、カバー１２表面には、図１０に示した従来例と同様に文字、模様等からなる装飾が付されている（図示略）。
【００１５】
上記構成を有する演出役物装置１０は、以下のように作動する。添付した図面にしたがって説明する。
第１始動口２、或いは第２始動口３に遊技球が入球して抽選が行われ、当該抽選の結果、大当たり遊技状態、確変遊技状態、又は時短遊技状態のような所定の遊技状態に移行したとき、遊技機に設けた演出制御基板が備える演出プログラムにしたがって、演出役物装置１０のカバー１２は、所定の動作パターンで上カバー１２ａが上方へ移動し、下カバー１２ｂが下方へ移動して開放され、装飾部１３上に窓部１８ａが形成される。
【００１６】
このとき、図３に示すように、窓部１８ａから装飾１３ａが露出される。
ここで、装飾１３ａの上部輪郭は、上カバー１２ａの上カバー凹部１４ａと係合し、装飾１３ａの下部輪郭は、下カバー１２ｂの下カバー凹部１６ａに係合する。
すなわち、凹部１４ａ，１６ａの切り欠いた面積の分だけ装飾１３ａを大きく形成して表示することができる。
そして、装飾１３ａが点滅し、又は装飾１３ａの背景１３ｂが点滅することによって、当該装飾１３ａを強調する演出がなされる。所定の時間が経過したとき、カバー１２は閉じられ、演出動作が終了する。
【００１７】
本実施例の演出役物装置１０によれば、上下カバー１２ａ，１２ｂの一部を切り欠いて、凹部１４ａ，１６ａが形成されている。そのため、遊技機１の盤面において、従来の演出役物装置ＡのカバーＣ，Ｄと同じようにカバー１２を開放した場合であっても、凹部１４ａ，１６ａに装飾１３ａの輪郭が合うようにすることで、装飾１３ａを大きく形成して表示することができる。
【実施例２】
【００１８】
次に、演出役物装置の第２実施例を添付した図面にしたがって、説明する。
図４は、第２実施例に係る演出役物装置のカバーが閉じている場合を示し、図５は、該カバーが開いている場合を示したものである。
【００１９】
第２実施例に係る演出役物装置１０Ａは、第１実施例と同様に、図１に示す遊技機１の盤面に配されている。
図４及び図５に示すように演出役物装置１０Ａは、装置本体１１と、カバー１２Ａとからなる。
装置本体１１は、第１実施例と同様に、装飾部１３を有している。
本実施例において、装置本体１１の装飾部１３には、星形の装飾１３ｃが配されている。そして、内蔵された照明装置が所定のパターンで点滅して、星形の装飾１３ｃ、又は装飾１３ｃの背景１３ｂを光らせる演出動作が行われる。
【００２０】
カバー１２Ａは、第１実施例と同様に、装飾部１３の上半分を覆う上カバー１２ｃと、装飾部１３の下半分を覆う下カバー１２ｄとからなり、開閉可能に構成されている。
上カバー１２ｃの下縁部には、上カバー凹部１４ｂが形成されている。
下カバー１２ｄの上縁部には、下カバー凸部１７ｂが形成されている。
カバー１２Ａが閉じているときには、上カバー凹部１４ｂと下カバー凸部１７ｂとが係合し、上カバー１２ｃの下縁部と下カバー１２ｄの上縁部とが当接している。
一方、カバー１２Ａが開いているときには、上カバー１２ｃの下縁部と下カバー１２ｄの上縁部との間に、窓部１８ｂが区画形成され、該窓部１８ｂから装飾１３ｃが露出する。
また、カバー１２Ａ表面には、図１０に示した従来例と同様に文字、模様等からなる装飾が付されている（図示略）。
【００２１】
上記構成を有する演出役物装置１０Ａは、以下のように作動する。添付した図面にしたがって説明する。
第１実施例と同様に、演出役物装置１０Ａのカバー１２は、所定の遊技状態に対応した所定の動作パターンで上カバー１２ｃが上方へ移動し、下カバー１２ｄが下方へ移動して開放され、装飾部１３上に窓部１８ｂが形成される。
【００２２】
そして、図５に示すように、窓部１８ｂから装飾１３ｃが露出される。このとき、装飾１３ｃの上部輪郭は、上カバー１２ｃの上カバー凹部１４ｂと係合し、装飾１３ａの下部輪郭は、下カバー１２ｄの下カバー凸部１７ｂに係合する。すなわち、上カバー凹部１４ｂの切り欠いた面積の分だけ装飾１３ｃの上部を伸ばすことができ、装飾１３ａを大きく表示することができる。
その後、装飾１３ａが点滅し、又は装飾１３ａの背景１３ｂが点滅することによって、当該装飾１３ａを強調する演出がなされる。
所定の時間が経過して、演出動作が終了すると、カバー１２は閉じる。このとき、上カバー凹部１４ｂと下カバー凸部１７ｂが係合するので、装飾部１３が露出しないようにカバー１２Ａで装飾部１３を覆って隠すことができる。
【００２３】
本実施例の演出役物装置１０Ａによれば、上下カバー１２ｃ，１２ｄに互いに係合する凹部１４ｂと凸部１７ｂが形成されている。
そのため、遊技機１の盤面において、従来の演出役物装置ＡのカバーＣ，Ｄと同じようにカバー１２を開放した場合であっても、凹部１４ｂと凸部１７ｂに装飾１３ｃの輪郭が合うようにすることで、装飾１３ｃを大きく形成して表示することができる。
【実施例３】
【００２４】
次に、演出役物装置の第３実施例を添付した図面にしたがって、説明する。
図６は、第３実施例に係る演出役物装置のカバーが閉じている場合を示し、図７は、該カバーが開いている場合を示したものである。
【００２５】
第３実施例に係る演出役物装置１０Ｂは、第１実施例若しくは第２実施例に記載の演出役物装置１０，１０Ａと同様に、図１に示す遊技機１の盤面に配されている。
図６及び図７に示すように演出役物装置１０Ｂは、装置本体１１と、カバー１２Ｂとからなる。
装置本体１１は、第１実施例若しくは第２実施例に記載の演出役物装置１０，１０Ａと同様に、装飾部１３を有している。
本実施例において装置本体１１の装飾部１３には、第１実施例と同様に、Ｖ字状の装飾１３ａが配されている。そして、内蔵された照明装置が所定のパターンで点滅して、Ｖ字状の装飾１３ａを光らせる演出動作が行われる。
【００２６】
カバー１２Ｂは、上カバー１２ｅと下カバー１２ｆとからなり、上カバー１２ｅの下縁部と下カバー１２ｆの上縁部が接する位置まで、上カバー１２ｅが上方へ移動し、下カバー１２ｆが下方へ移動するように構成されている。
上カバー１２ｅの下縁部には、上カバー凹部１４ｃと上カバー凸部１５ｂとが形成されている。
下カバー１２ｆの上縁部には、下カバー凹部１６ｂと下カバー凸部１７ｃとが形成されている。
カバー１２Ｂが閉じているときには、上カバー１２ｅと下カバー１２ｆとが重合して、装飾１３ａを覆っている。
一方、カバー１２Ｂが開いているときには、装飾１３ａの輪郭と略同形状のＶ字状の窓部１８ｃが区画形成され、該窓部１８ｃから装飾１３ａが露出する。
また、カバー１２Ｂ表面には、図１０に示した従来例と同様に文字、模様等からなる装飾が付されている（図示略）。
【００２７】
上記構成を有する演出役物装置１０Ｂは、以下のように作動する。添付した図面にしたがって説明する。
第１実施例若しくは第２実施例と同様に、所定の遊技状態に対応した所定の動作パターンで上カバー１２ｅが上方へ移動し、下カバー１２ｆが下方へ移動する。このとき、上カバー１２ｅの下縁部と下カバー１２ｆの上縁部とが接する位置で上下カバー１２ｅ，１２ｆの移動は止まり、当該上下両カバー１２ｅ，１２ｆによって装飾部１３上にＶ字状の窓部１８ｃが形成される。
【００２８】
そして、図７に示すように、Ｖ字状の窓部１８ｃからＶ字状の装飾１３ａが露出される。
その後、装飾１３ａが点滅することによって、当該装飾１３ａを強調する演出がなされる。
所定の時間が経過して、演出動作が終了すると、上下カバー１２ｅ，１２ｆは重合し、カバー１２は閉じる。
【００２９】
本実施例の演出役物装置１０Ｂによれば、装飾１３ａと略同形状の窓部１８ｃがカバー１２Ｂに形成される。そのため、装飾１３ａを大きく形成して表示することができる。
また、図７に示すように、装飾１３ａのみを表示して、無駄な背景を省くことができるので、該装飾１３ａをより強調することができる。
【実施例４】
【００３０】
次に、演出役物装置の第４実施例を添付した図面にしたがって、説明する。
図８は、第４実施例に係る演出役物装置のカバーが閉じている場合を示し、図９は、該カバーが開いている場合を示したものである。
【００３１】
演出役物装置１０Ｃは、第１実施例乃至第３実施例のいずれかに記載の演出役物装置１０，１０Ａ，１０Ｂと同様に、図１に示す遊技機１の盤面に配されている。
図８及び図９に示すように演出役物装置１０Ｃは、装置本体１１と、カバー１２Ｃとからなる。
装置本体１１は、第１実施例乃至第３実施例のいずれかに記載の演出役物装置１０，１０Ａ，１０Ｂと同様に、装飾部１３を有している。
本実施例において装置本体１１の装飾部１３には、星形の装飾１３ｃが配されている。そして、内蔵された照明装置が所定のパターンで点滅して、星形の装飾１３ｃを光らせる演出動作が行われる。
【００３２】
カバー１２Ｃは、上カバー１２ｇと下カバー１２ｈとからなり、上カバー１２ｇの下縁部と下カバー１２ｈの上縁部が接する位置まで、上カバー１２ｇが上方へ移動し、下カバー１２ｈが下方へ移動するように構成されている。
上カバー１２ｇの下縁部には、上カバー凹部１４ｄが形成されている。
下カバー１２ｈの上縁部には、下カバー凹部１６ｃが形成されている。
カバー１２Ｃが閉じているときには、上カバー１２ｇと下カバー１２ｈとが重合し、装飾１３ｃを覆っている。
一方、カバー１２Ｃが開いているときには、装飾１３ｃと略同形状の星形の窓部１８ｄが区画形成され、該窓部１８ｄから装飾１３ｃが露出する。
また、カバー１２Ｃ表面には、図１０に示した従来例と同様に文字、模様等からなる装飾が付されている（図示略）。
【００３３】
上記構成を有する演出役物装置１０Ｃは、以下のように作動する。添付した図面にしたがって説明する。
第１実施例乃至第３実施例のいずれかに記載した演出役物装置１０，１０Ａ，１０Ｂと同様に、所定の遊技状態に対応した所定の動作パターンで上カバー１２ｇが上方へ移動し、下カバー１２ｈが下方へ移動する。このとき、上カバー１２ｇの下縁部と下カバー１２ｈの上縁部とが接する位置で上下カバー１２ｇ，１２ｈの移動は止まり、当該上下両カバー１２ｇ，１２ｈによって装飾部１３上に星形の窓部１８ｄが形成される。
【００３４】
そして、図９に示すように、星形の窓部１８ｄから星形の装飾１３ｃが露出される。
その後、装飾１３ｃが点滅することによって、当該装飾１３ｃを強調する演出がなされる。
所定の時間が経過して、演出動作が終了すると、上下カバー１２ｇ，１２ｈは重合し、カバー１２は閉じる。
【００３５】
本実施例の演出役物装置１０Ｃによれば、装飾１３ｃと略同形状の窓部１８ｄがカバー１２Ｃに形成される。そのため、装飾１３ｃを大きく形成して表示することができる。
また、図９に示すように、装飾１３ｃのみを表示して、無駄な背景を省くことができるので、該装飾１３ｃをより強調することができる。
【００３６】
以上のように、本実施例に記載の演出役物装置１０，１０Ａ，１０Ｂ，１０Ｃによれば、多くの演出装置が配される遊技機１の盤面において、カバー１２，１２Ａ，１２Ｂ，１２Ｃの動きを最小限にする一方で、装置本体１１の装飾部１３の領域を最大限に利用する装飾１３ａ，１３ｃを形成することができる。
【００３７】
また、本実施例において、Ｖ字状の装飾１３ａと星形の装飾１３ｃを例示したが、これに限定されるものではない。
そして、本実施例において、上下開きのカバー１２，１２Ａ，１２Ｂ，１２Ｃを例示したが、これに限定されるものではなく、当該カバーを左右開きとしても良い。
【符号の説明】
【００３８】
１…遊技機、２…第１始動口、３…第２始動口、４…大入賞口、５…画像表示装置、６…ライト、７…スピーカ、
１０，１０Ａ，１０Ｂ，１０Ｃ…演出役物装置、１１…装置本体、
１２，１２Ａ，１２Ｂ，１２Ｃ…カバー、
１３…装飾部、１３ａ，１３ｃ…装飾、１３ｂ…背景
１２ａ，１２ｃ，１２ｅ，１２ｇ…上カバー、１４…上枠部、１４ａ，１４ｂ，１４ｃ，１４ｄ…上カバー凹部、１５ａ，１５ｂ…上カバー凸部、
１２ｂ，１２ｄ，１２ｆ，１２ｈ…下カバー、１６…下枠部、１６ａ，１６ｂ，１６ｃ…下カバー凹部、１７ａ，１７ｂ，１７ｃ…下カバー凸部、
１８ａ，１８ｂ，１８ｃ，１８ｄ…窓。
【図１】
2011139740.tif 000003
【図２】
2011139740.tif 000004
【図３】
2011139740.tif 000005
【図４】
2011139740.tif 000006
【図５】
2011139740.tif 000007
【図６】
2011139740.tif 000008
【図７】
2011139740.tif 000009
【図８】
2011139740.tif 000010
【図９】
2011139740.tif 000011
【図１０】
2011139740.tif 000012
【図１１】
2011139740.tif 000013